(57)【要約】  本発明の毛元塗布具（１０）は、櫛歯台（１４）の表面から複数の櫛歯（１２）が立設する櫛歯部（１３）と、塗布剤として染毛剤が収容される容器（１１）とを備え、容器（１１）から櫛歯（１２）に供給される染毛剤を、毛髪の毛元部分に塗布できるようにする塗布具である。櫛歯（１２）は、毛髪を梳かす機能を備える櫛歯本体部（１５）と、櫛歯本体部（１５）の先端に連続して設けられた、軟質樹脂による先端弾性変形部（１６）とを含む。櫛歯本体部（１５）は、塗布剤の導液路（１７）を内部に備えると共に、導液路（１７）の吐出口（１７ａ）が、先端弾性変形部（１６）の近傍に配置されて開口している。
2015037694.tif 000002
【特許請求の範囲】
【請求項１】
櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記櫛歯本体部は、塗布剤の導液路を内部に備えると共に、該導液路の吐出口が、前記先端弾性変形部の近傍に配置されて、又は前記先端弾性変部と接して或いは重なって配置されて、開口している毛元塗布具。
【請求項２】
前記先端弾性変形部を形成する軟質樹脂の引張り強度が、１〜１０MPaである請求項１記載の毛元塗布具。
【請求項３】
前記先端弾性変形部は、先端部に向けて徐々に断面積が小さくなる尖鋭な形状を有している請求項１又は２記載の毛元塗布具。
【請求項４】
前記櫛歯本体部は、前記櫛歯台側の基端部から、先端の前記先端弾性変形部に向けて、断面積を減少させた先細り形状を有している請求項１〜３のいずれか１項記載の毛元塗布具。
【請求項５】
前記櫛歯は、前記導液路の吐出口を、当該櫛歯の先端側にのみ配置している請求項１〜４のいずれか１項記載の毛元塗布具。
【請求項６】
前記櫛歯は、前記導液路の吐出口から枝別れして表面に開口する、複数の枝別れ吐出口を有している請求項１〜５のいずれか１項記載の毛元塗布具。
【請求項７】
前記櫛歯本体部は、長軸と短軸とを備える扁平な横断面形状を有しており、前記枝別れ吐出口は、前記櫛歯本体部の短軸方向に向けて一対設けられている請求項６記載の毛元塗布具。
【請求項８】
前記櫛歯は、前記櫛歯本体部の長軸方向を平行に配置して、前記櫛歯本体部の短軸方向に間隔を置いて複数並べて設けられており、前記先端弾性変形部及び前記枝別れ吐出口は、前記短軸方向に沿った同一直線上に複数並べて設けられている請求項７記載の毛元塗布具。
【請求項９】
前記吐出口が開口する高さ位置は、前記先端弾性変形部の先端から１．０〜５．５ｍｍの高さ領域に含まれる請求項１〜８のいずれか１項記載の毛元塗布具。
【請求項１０】
前記櫛歯部に着脱可能に装着される補助櫛歯部を備えており、該補助櫛歯部は、補助櫛歯台から立設する複数の補助櫛歯を有しており、該補助櫛歯部が前記櫛歯台に装着された状態で、前記補助櫛歯は、前記櫛歯部の、前記短軸方向に隣接する各一対の前記櫛歯の間隔部分に、各々配置される請求項１〜９のいずれか１項記載の毛元塗布具。
【請求項１１】
前記補助櫛歯部が前記櫛歯台に装着された状態で、前記櫛歯の前記先端弾性変形部の先端の高さ位置は、前記補助櫛歯の先端の高さ位置と同じか又はこれよりも高くなっている請求項１０記載の毛元塗布具。
【請求項１２】
櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記先端弾性変形部の高さ方向の長さの前記櫛歯の全体の長さに対する比率が、０．０５〜０．３５となっている毛元塗布具。
【請求項１３】
前記櫛歯本体部と前記先端弾性変形部の引張り強度の差が、５〜４０MPaである請求項１〜１２のいずれか１項記載の毛元塗布具。
【請求項１４】
前記櫛歯本体部と前記先端弾性変形部とは、連続的且つ一体的に成形されて設けられている請求項１〜１３のいずれか１項記載の毛元塗布具。
【請求項１５】
前記櫛歯本体部と前記先端弾性変形部とは、２色成形又はインサート成形によって連続的且つ一体的に成形されている請求項１４記載の毛元塗布具。
【請求項１６】
前記塗布剤の３０℃における粘度が３〜３００００ｍPa・sである請求項１〜１５のいずれか１項記載の毛元塗布具。
【請求項１７】
塗布剤が収容される前記容器と、前記櫛歯部とは、前記容器の高さ方向のスライド操作によって押下げ、押上げ可能に嵌合させる嵌合構造、又は前記容器の周方向のツイスト操作によって押下げ、押上げ可能に嵌合させる嵌合構造を有しており、
前記前記櫛歯部を前記容器に対して押上げた状態では、前記容器の導液路と前記櫛歯部の導液路とが接続され、
前記前記櫛歯部を前記容器に対して押下げた状態では、前記容器本体の導液路と前記櫛歯部の導液路との接続が遮断される請求項１〜１６のいずれか１項記載の毛元塗布具。
【請求項１８】
前記容器は、エアゾール容器又はスクイズ容器である請求項１〜１７のいずれか１項記載の毛元塗布具。
【請求項１９】
櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具を用いた塗布方法であって、
前記櫛歯は、毛髪を梳かす機能を備えかつ内部に塗布剤の導液路を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記櫛歯本体部で毛髪を梳かしながら、前記先端弾性変形部の先端を頭皮に押し付けて弾性変形させつつ、前記櫛歯本体部の導液路の吐出口から前記先端弾性変形部の近傍に供給される塗布剤の塗布を行う塗布方法。
【発明の詳細な説明】
【技術分野】
【０００１】
本発明は、櫛歯台の表面から複数の櫛歯が立設する櫛歯部と、塗布剤が収容される容器とを備える毛元塗布具に関する。
【背景技術】
【０００２】
容器から送られてくる塗布剤を、複数の櫛歯が設けられた櫛歯部に吐出させて、櫛歯による塗布作業を行えるようにした櫛歯付きの塗布具として、例えば染毛剤等の毛髪化粧料を毛髪に塗布する際に用いる毛髪塗布具が知られている。毛髪化粧料用の毛髪塗布具は、好ましくはスクイズ操作が可能な容器の口首部に、櫛歯台の表面から複数の櫛歯が立設する櫛歯部を、着脱可能に装着して用いられる。毛髪化粧料として例えば染毛剤を塗布する毛髪塗布具は、容器から送られてくる染毛剤を、例えば櫛歯部の櫛歯台に形成した吐出口から、複数の櫛歯で囲まれる領域に吐出させて、櫛歯によって梳かしながら染毛剤を毛髪に塗布できるようになっている（例えば、特許文献１参照）。【０００３】
また、染毛剤の吐出口を、櫛歯部の複数の櫛歯に各々形成することで、細かい部分の染毛や、毛髪の生え際の染毛を簡単に行えるようにした毛髪塗布具も開発されている（例えば  特許文献２、特許文献３参照）。
【先行技術文献】
【特許文献】
【０００４】
【特許文献１】米国公開特許２００３−４１８６９号公報
【特許文献２】特開２００１−４６１４０号公報
【特許文献３】特開２００２−１８６５１６号公報
【発明の概要】
【０００５】
本発明は、櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具である。前記櫛歯は、毛髪を梳かす機能を備える櫛歯本体部と、該櫛歯本体部の先端に連続して設けられた、軟質樹脂による先端弾性変形部とを含む。前記櫛歯本体部は、前記先端弾性変形部よりも剛性が高く、毛髪を掻き分けることが可能な保形性を有している。前記櫛歯本体部は、塗布剤の導液路を内部に備えると共に、該導液路の吐出口が、前記先端弾性変形部の近傍に配置されて、又は前記先端弾性変部と接して或いは重なって配置されて、開口している。
【図面の簡単な説明】
【０００６】
【図１】図１は、本発明の好ましい一実施形態に係る毛元塗布具の斜視図である。
【図２】図２は、図１のＡ−Ａに沿った断面図である。
【図３】図３は、櫛歯の先端部分の拡大斜視図である。
【図４】図４は、先端弾性変形部を弾性変形させつつ塗布剤を塗布させる状態の説明図である。
【図５（ａ）】図５（ａ）は、櫛歯の先端部分に設けられた先端弾性変形部及び枝別れ吐出口の形態を例示する図表である。
【図５（ｂ）】図５（ｂ）は、櫛歯本体部の長軸方向から見た櫛歯の要部断面図である。
【図６】図６は、補助櫛歯部を装着した状態の毛元塗布具の斜視図である。
【図７】図７は、図６のＢ−Ｂに沿った断面図である。
【図８】図８は、本発明の好ましい他の実施形態に係る毛元塗布具の斜視図である。
【図９】図９（ａ）は、他の実施形態の毛元塗布具の櫛歯の先端部分の拡大斜視図である。図９（ｂ）は、他の実施形態の毛元塗布具の櫛歯の先端部分の拡大断面図である。
【図１０】図１０は、他の実施形態の毛元塗布具によって塗布剤を塗布する状況の説明図である。
【図１１】図１１は、開閉機構を備える櫛歯部の説明図である。
【発明の詳細な説明】
【０００７】
毛髪は、日々長くなってゆくものであることから、毛髪の全体を程よく均等に染毛した後に、例えば数週間から数箇月程度経過すると、毛髪の毛元部分に、染毛されていない未染毛領域が生じてくる。このため、毛髪の毛元部分に生じた染毛されていない未染毛領域を、ムラなく均一に染毛できれば、染毛剤の使用者とって便利である。
【０００８】
しかしながら、毛髪の毛元部分の未染毛領域は、生え際等の使用者が自身の目で見える部分の他、頭頂部や後頭部等の見えない部分を含めた、毛髪の全体に同時に生じてくる。このため、例えば頭頂部や後頭部の毛髪の毛元部分等の、使用者が自身の目で未染毛領域を確認しにくい部分については、例えば毛髪を掻き分けながら、ムラなく均一に毛元部分の染毛を行うことは困難である。
【０００９】
また、特許文献２や特許文献３の毛髪塗布具では、目で確認できる毛髪の生え際等の未染毛領域については、細かく均一に染毛を行うことが可能であるが、頭頂部や後頭部の毛髪の毛元部分等の、使用者が自身の目で未染毛領域を確認できない部分については、ムラなく均一に毛元部分の染毛を行うことは困難である。
【００１０】
本発明は、染毛剤等の毛髪化粧料やその他の塗布剤を、例えば頭頂部や後頭部の毛髪の毛元部分等の、使用者が自身の目で未染毛領域を確認しにくい毛元部分についても、頭皮の近くの毛元まで塗布剤を十分に供給可能とし、しかも頭皮への感触が良好であり、頭皮に近い毛元部分をねらって塗布することができる毛元塗布具に関する。
【００１１】
本発明は、櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具である。前記櫛歯は、毛髪を梳かす機能を備える櫛歯本体部と、該櫛歯本体部の先端に連続して設けられた、軟質樹脂による先端弾性変形部とを含む。前記櫛歯本体部は前記先端弾性変形部よりも剛性が高く、毛髪を掻き分けることが可能な保形性を有している。毛髪を掻き分けることが可能な保形性とは、毛髪を掻き分けるときに撓むが変形しない程度の可撓保形性であることが好ましい。前記櫛歯本体部は、塗布剤の導液路を内部に備えると共に、該導液路の吐出口が、前記先端弾性変形部の近傍に配置されて、又は前記先端弾性変部と接して或いは重なって配置されて、開口している。
【００１２】
以下、本発明をその好ましい実施態様に基づき、図面を参照しながら説明する。図１に示す本発明の好ましい一実施形態に係る毛元塗布具１０は、塗布剤として、例えば毛髪化粧料である染毛剤が収容された容器１１の口首部１１ａ（図２参照）に、複数の櫛歯１２，１２’を備える櫛歯部１３を着脱可能に装着することによって構成される。本実施形態では、容器１１の胴部１１ｂは、押圧変形可能な可撓性を備えている。使用者は、胴部１１ｂを把持して容器１１を傾倒又は倒立させると共に、例えば櫛歯１２，１２’を頭皮に押し当てた状態で、胴部１１ｂを押圧(スクイズ)することで、櫛歯部１３に送り出された染毛剤を吐出し、毛髪に塗布しながら、櫛歯１２，１２’によって毛髪を梳かすことができる。本実施形態の毛元塗布具１０は、使用者が自身の目で毛髪の未染毛領域を確認しにくい毛元部分についても、頭皮の近くの毛元まで染毛剤を十分に供給可能とし、しかも頭皮への感触が良好であり、頭皮に近い毛元部分をねらって容易に染毛剤を塗布できるようにして、毛元部分に安定して染毛してゆくことを可能にする。
【００１３】
そして、本実施形態の毛元塗布具１０は、図１及び図２に示すように、櫛歯台１４の表面から複数の櫛歯１２，１２’が立設する櫛歯部１３と、塗布剤として染毛剤が収容される容器１１とを備え、容器１１から櫛歯１２に供給される染毛剤を、毛髪の毛元部分に塗布できるようにする塗布具である。櫛歯１２，１２’は、毛髪を梳かす機能を備える櫛歯本体部１５，１５’と、櫛歯本体部１５，１５’の先端に連続して設けられた、軟質樹脂による先端弾性変形部１６，１６’とを含んで構成されている。なお、櫛歯１２、１２’は、櫛歯本体部１５、１５’と先端弾性変形部１６、１６’との間に中間部材を設けてもよいが、櫛歯本体部１５、１５’と先端弾性変形部１６、１６’からなるものが好ましい。櫛歯本体部１５は、塗布剤の導液路１７を内部に備えると共に、導液路１７の吐出口１７ａが、先端弾性変形部１６の近傍に配置されて、又は先端弾性変形部１６と接して或いは重なって配置されて、開口している。
【００１４】
ここで、後述するように、櫛歯１２は、内部に導液路１７が形成された中間櫛歯であり、櫛歯１２’は、内部に導液路１７が形成されていない端部櫛歯である。端部櫛歯は、内部に導液路１７が形成された櫛歯１２とすることもできる。また、導液路１７の吐出口１７ａは、毛元部分への塗布性を向上させる点から櫛歯１２の先端側にのみ設けることが好ましく、先端側の側面にあることが好ましい。
【００１５】
また、本実施形態では、毛髪の部位によることなく、毛髪の全体を染毛できるように、補助櫛歯部２３を備えていることが好ましい（図１参照）。補助櫛歯部２３は、櫛歯部１３に着脱可能に装着される。補助櫛歯部２３は、補助櫛歯台２４から立設する複数の補助櫛歯２２を有している。補助櫛歯部２３を櫛歯部１３に装着することで、例えば、生え際、こめかみ、首もと又は襟足などの毛髪に対して、さらに綺麗な染毛を行うことができる。
【００１６】
本実施形態では、容器１１は、合成樹脂製であり、ポリプロピレン、低密度ポリエチレン、中密度ポリエチレン、及び高密度ポリエチレンから選ばれる１種又は２種を含む合成樹脂で構成されるブロー成型品であることが好ましい。また、ポリプロピレン、低密度ポリエチレン、中密度ポリエチレン、及び高密度ポリエチレンから選ばれる１種又は２種を含む合成樹脂は、共重合体であっても良いし、ブレンド品であっても良い。容器１１は、有底円筒形状の胴部１１ｂと、胴部１１ｂの上端部に肩部１１ｃを介して連続して設けられた、上端面が流出開口となっている口首部１１ａとを備える。胴部１１ｂは、押圧変形（スクイズ変形）可能な可撓性を備えている。口首部１１ａの外周面には、キャップや櫛歯部１３を直脱可能に装着させる雄ネジ突条１１ｄが設けられている。具体的には、容器として、スクイズ容器やデラミ容器などを使用することができる。
【００１７】
毛元塗布具１０が製品化された状態では、容器１１には、例えば過酸化水素水を含む酸性の剤である、染毛剤の第２剤が収容されていると共に、口首部１１ａを覆ってキャップ（図示せず）が装着されている。毛元塗布具１０を購入した使用者は、容器１１からキャップを取り外して、チユーブ容器等の他の容器に収容された、例えばアルカリ剤である第１剤を加えて第２剤と混合することにより、染毛剤を形成することができる。ここで容器１１に収容されている剤を第１剤とし、他の容器に収容されている剤を第２剤としてもよい。そして、染毛剤を形成したら、混合時に再装着したキャップを取り外して、容器１１の口首部１１ａに櫛歯部１３を装着することで、本実施形態の毛元塗布具１０が形成される。
【００１８】
ここで、毛髪に塗布する染毛剤は、本実施形態では、例えばＷＯ２０１２/１４７８５８号公報に記載されている、アルカリ剤を含有する組成物Ａ、及び酸化剤を含有する組成物Ｂの混合によって形成される染毛剤や、アルカリ剤を含有する組成物Ａ、酸化剤を含有する組成物Ｂ、及び粉末状の酸化助剤を含有する組成物Ｃの混合によって形成される染毛剤を好ましく用いることができる。染毛剤の３０℃における粘度は、好ましくは３ｍＰa・ｓ以上であり、より好ましくは５ｍＰa・ｓ以上であり、さらに好ましくは５００ｍＰa・ｓ以上であり、また好ましくは３００００ｍＰa・ｓ以下であり、より好ましくは２００００ｍＰa・ｓ以下であり、さらに好ましくは１５０００ｍＰa・ｓ以下である。なお、本発明で用いる容器がスクイズ容器である場合には、染毛剤の３０℃における粘度は、より好ましくは１０００ｍＰa・ｓ以上であり、さらに好ましくは５０００ｍＰa・ｓ以上である。本発明で用いる容器がエアゾール容器である場合には、染毛剤の３０℃における粘度は、より好ましくは１０００ｍＰa・ｓ以上であり、さらに好ましくは５０００ｍＰa・ｓ以上である。内容液（染毛剤）の３０℃における粘度は、粘度計（東機産業株式会社製  モデルTVB-10R、T-BAR STAGE TS-10）を用い、スピンドルＮｏ．Ｔ−Ｃ、回転数１０ｒｐｍの条件下に３０℃で１分間回転させた後の値とする。ただし、粘度が２０００ｍＰａ・ｓ以下の場合、粘度計（東機産業株式会社製モデルTVB-10M）を用い、スピンドルＮｏ．４、回転数３０ｒｐｍの条件下に３０℃で１分間回転させた後の値とする。また、粘度が１０００ｍＰa・ｓ以下の場合、ＳＶ型粘度計（株式会社エー・アンド・デイ製、型番：ＳＶ-１０、固有振動数３０Ｈｚ）にて測定した値とする。
【００１９】
なお、容器１１に収容されている塗布剤が、トニック、育毛剤、頭皮ケア剤等の液剤や、乳化物やオイルの場合には、頭皮に十分にいきわたらせる観点と、液だれを防止し塗布性を向上させる観点から、塗布剤の３０℃における粘度は、好ましくは０．５ｍＰa・ｓ以上であり、より好ましくは１ｍＰa・ｓ以上であり、さらに好ましくは５ｍＰa・ｓ以上であり、また好ましくは１００００ｍＰa・ｓ以下であり、より好ましくは５０００ｍＰa・ｓ以下であり、さらに好ましくは２０００ｍＰa・ｓであり、よりさらに好ましくは１０００ｍＰa・ｓ以下である。
【００２０】
本実施形態では、櫛歯部１３は、合成樹脂により構成され、好ましくは２色成形、又はインサート成形による射出成型品となっている。櫛歯部１３は、櫛歯台１４と、櫛歯台１４の表面（上面）から立設する複数の櫛歯１２，１２’と、櫛歯台１４の下端部に連続して設けられた装着スカート部１８とを備える。櫛歯１２，１２’の先端部の先端弾性変形部１６，１６’の部分を除いた、櫛歯１２，１２’の櫛歯本体部１５，１５’、櫛歯台１４、及び装着スカート部１８の部分は、ポリプロピレン、中密度ポリエチレン、高密度ポリエチレンから選ばれる１種又は２種以上を含む合成樹脂を用いて形成されていることが好ましく、ポリプロピレン、高密度ポリエチレンから選ばれる１種又は２種を含む合成樹脂を用いて形成されていることがより好ましく、ポリプリピレン、高密度ポリエチレンから選ばれる１種又は２種による合成樹脂を用いて形成されていることがさらに好ましい。
【００２１】
また、櫛歯１２，１２’の先端部の先端弾性変形部１６，１６’を形成する軟質樹脂は、好ましくはポリスチレン、ポリオレフィン、ポリエステル、ポリウレタン、ウレタンゴム、及びシリコーンゴムから選ばれる１種又は２種以上のゴム成分又はエラストマー成分を含む、弾性樹脂材料又は軟質樹脂材料から選ばれる１種の樹脂又は２種以上の混合樹脂であり、好ましくはエラストマー成分を含有し、より好ましくはポリスチレンを含有するエラストマーである。櫛歯１２、１２’の先端部の先端弾性変形部１６、１６’は、頭皮に押し付ける行為によって屈曲し、弾性変形する合成樹脂を用いて形成されており、ＪＩＳＫ６２５１（２０１０）に基づき測定される引張り強度は、好ましくは１ＭＰａ以上であり、より好ましくは２ＭＰａ以上であり、また好ましくは１０ＭＰａ以下であり、より好ましくは８ＭＰａ以下である。
【００２２】
櫛歯本体部１５、１５’を形成する合成樹脂は、中密度ポリエチレン、高密度ポリエチレン、ポリプロピレンから選ばれる１種又は２種以上の樹脂を含むものが好ましく、高密度ポリエチレン、ポリプロピレンから選ばれる１種又は２種の樹脂を主に含むものが好ましく、高密度ポリエチレン、ポリプロピレンから選ばれる１種又は２種の樹脂からなるものが好ましい。櫛歯本体部１５、１５’のＤ６３８／６５１により測定された引張り強度は、櫛歯１２、１２’がしなる程度の範囲で撓みや変形を生じず、毛髪を梳かす機能を備える点から、好ましくは１０ＭＰａよりも大きく、より好ましくは１５ＭＰａ以上であり、さらに好ましくは２０ＭＰａ以上であり、また好ましくは５０ＭＰａ以下であり、より好ましくは４０ＭＰａである。
【００２３】
櫛歯本体部１５、１５’と先端弾性変形部１６、１６’との引張り強度の差は、櫛歯１２、１２’が毛髪を梳かす機能を備えつつ、先端弾性変形部１６、１６’の変形を十分に支持する観点から、好ましくは５ＭＰａ〜４０ＭＰａであり、より好ましくは１０ＭＰａ〜３５ＭＰａであり、さらに好ましくは１５ＭＰａ〜３５ＭＰａである。
【００２４】
先端弾性変形部１６、１６’は頭皮に押し付ける行為によって屈曲し、弾性変形する合成樹脂を用いて形成されている。先端弾性変形部１６、１６’の縦弾性率（ヤング率）は、好ましくは０．５ＭＰａ以上であり、より好ましくは１ＭＰａ以上であり、さらに好ましくは３ＭＰａ以上であり、また好ましくは５０ＭＰａ以下であり、より好ましくは４０ＭＰａ以下であり、さらに好ましくは３０ＭＰａ以下である。これに対して、櫛歯本体部１５、１５’のＤ６３８に基づき測定される引張り弾性率は、櫛歯１２、１２’がしなる程度の範囲で撓みや変形を生じず、毛髪を梳かす機能を備える観点から、好ましくは２００ＭＰａ以上であり、より好ましくは４００ＭＰａ以上であり、さらに好ましくは８００ＭＰａ以上であり、また好ましくは２０００ＭＰａ以下であり、より好ましくは１５００ＭＰａ以下である。なお、先端弾性変形部１６、１６’の縦弾性率（ヤング率）は、ＪＩＳＫ６２５１（２０１０）に準拠してＪＩＳ３号ダンベルでサンプルを用意し、応力―ひずみ曲線を得て、その初期ひずみ領域での曲線に対する接線の傾きから求める。
【００２５】
櫛歯本体部１５、１５’の引張り弾性率と先端弾性変形部１６、１６’の縦弾性率との差は、櫛歯１２、１２’が毛髪を梳かす機能を備えつつ、先端弾性変形部１６、１６’の変形を十分に支持する観点から、好ましくは２００ＭＰａ〜１９５０ＭＰａであり、より好ましくは４００ＭＰａ〜１４６０ＭＰａであり、さらに好ましくは８００〜１４６０ＭＰａである。
【００２６】
先端弾性変形部１６、１６’と櫛歯本体部１５、１５’とは物性だけでなく、色を異なるものにすることもできる。先端弾性変形部１６、１６’と櫛歯本体部１５、１５’とを異なる色に着色することにより、各々の部位の識別力を持たせることが可能となり、吐出口などの洗浄が容易となる。さらに、使用者に先端弾性変形部１６、１６’の存在を認識させ、使用者が先端弾性変形部１６、１６’を積極的に頭皮に押し付ける行為を促すことができる。
【００２７】
櫛歯部１３の装着スカート部１８は、円形の平板形状を有する天面板１８ａと、天面板１８ａの周縁部から下方に延設して設けられた、略円筒形状の筒状装着部１８ｂと、筒状装着部１８ｂの内側に同心状に配置されて、天面板１８ａの下面から下方に突出して設けられた、円環形状のインナーリング部１８ｃとを備える。筒状装着部１８ｂの内周面には、容器１１の口首部１１ａの外周面に形成された雄ネジ突条１１ｄに螺着される、雌ネジ突条１８ｄが設けられている。インナーリング部１８ｃは、櫛歯部１３が容器１１の口首部１１ａに装着された際に、口首部１１ａの上端部内周面に密着して、強固な止水性を保持することができる。また、筒状装着部１８ｂの上端部分には、後述する補助櫛歯部２３を櫛歯部１３に重ねて装着する際に、補助櫛歯部２３の下端係止部を係止させる、係止段差部１８ｅが設けられている。
【００２８】
櫛歯部１３の櫛歯台１４は、本実施形態では、装着スカート部１８の円形の天面板１８ａの中央部分を径方向に横断するように配置されて、天面板１８ａから上方に突出して設けられている。櫛歯台１４は、上面に櫛歯１２，１２’の立設基板１４ａを配置した、容器１１の口首部１１ａと連通する矩形の中空断面形状を有している。櫛歯台１４の立設基板１４ａは、横長の帯板形状を備えている。立設基板１４ａから上方に立設して、複数の櫛歯１２，１２’が設けられている。
【００２９】
櫛歯部１３の櫛歯１２，１２’は、本実施形態では、立設基板１４ａの長手方向両端部に配置された一対の端部櫛歯１２’と、これらの一対の端部櫛歯１２’の間に配置された５本の中間櫛歯１２とを備える。各々の櫛歯１２，１２’は、毛髪を掻き分けることが可能な保形剛性（保形性）を有することで、毛髪を梳かす機能を備える櫛歯本体部１５，１５’と、櫛歯本体部１５，１５’の先端に連続して設けられた、軟らかい軟質樹脂による先端弾性変形部１６，１６’とを備える。各々の中間櫛歯１２の内部には、櫛歯台１４の中空内部と連通する、導液路１７が形成されている。櫛歯１２，１２’は、櫛歯本体部１５，１５’と先端弾性変形部１６，１６’とが、嵌合により固定されたもの、ネジ加工により固定されたもの、２色成形又はインサート成形されたものから選ばれるものが好ましく、２色成形又はインサート成形されたものがより好ましく、２色成形されたものがより好ましい。
【００３０】
ここで、櫛歯１２，１２’の櫛歯本体部１５，１５’及び先端弾性変形部１６，１６’を含めた高さ方向の全体の長さは、毛髪を掻き分けて梳かす機能を向上させる観点から、１５〜２５ｍｍであることが好ましく、１８〜２３ｍｍであることがより好ましい。先端弾性変形部１６，１６’の高さ方向の長さは、１．０〜５．５ｍｍであることが好ましく、１．５〜４.０ｍｍであることがより好ましい。先端弾性変形部１６，１６’の高さ方向の長さの、櫛歯１２，１２’の全体の長さに対する比率は、０．０５〜０．３５であることが好ましく、０．０７〜０．２であることがより好ましい。隣接する櫛歯１２，１２’の間に保持される間隔は、１〜８ｍｍであることが好ましく、２〜４ｍｍであることがより好ましい。前記の櫛歯１２，１２’の間に保持される間隔とは、櫛歯１２、１２’の基部（根元部）から基部までの最短距離であり、例えば先細りの形状を有している場合には、基部における間隔が櫛歯１２、１２’の先端において保持されていなくてもよい。
【００３１】
本実施形態では、各々の櫛歯１２，１２’の櫛歯本体部１５，１５’は、長軸と短軸とを備える扁平な断面形状を有している。櫛歯１２，１２’は、櫛歯本体部１５，１５’の長軸方向を平行に配置して、櫛歯本体部１５，１５’の短軸方向に間隔を置いて、好ましくは３〜８ｍｍの等しい中心間ピッチで、より好ましくは４〜６ｍｍの等しい中心間ピッチで、複数並べて設けられている（本実施形態では、５ｍｍの中心間ピッチ）。なお、複数並べて設けられた櫛歯１２，１２’の中心間ピッチは異なっていてもよく、複数の櫛歯１２，１２’の本数は図面に記載された本数に制限されない。なお、前記中心間ピッチとは、櫛歯１２、１２’の各々の軸中心の間の距離をいう。
【００３２】
さらに、本実施形態では、各々の櫛歯１２，１２’の櫛歯本体部１５，１５’と先端弾性変形部１６、１６’を含めた全体形状は、櫛歯台１４側の基端部１５ｂ，１５ｂ’（図２参照）から、先端弾性変形部１６，１６’の先端に向けて、断面積を減少させた先細り形状有している。すなわち、櫛歯本体部１５，１５’と先端弾性変形部１６、１６’の全体形状は、例えば縦長の略２等辺三角形の正面形状を有するように形成されている。櫛歯１２，１２’は、櫛歯本体部１５，１５’の両側の斜辺部の長さが異なる縦長の略三角形の正面形状を有していても良い。
【００３３】
櫛歯本体部１５，１５’の先端に連続して設けられた、軟質樹脂による先端弾性変形部１６，１６’は、先端部に向けて徐々に断面積が小さくなる尖鋭な形状を有している。すなわち、先端弾性変形部１６，１６’は、例えば略２等辺三角形の正面形状を有するように形成されている。先端弾性変形部１６，１６’は、両側の斜辺部の長さが異なる略三角形の正面形状を有していても良い。櫛歯１２、１２’は、櫛歯本体部１５、１５’が先端側において徐々に断面積が小さくなり、先端部に向けて徐々に断面積が小さくなる尖鋭な形状の先端弾性変形部１６，１６’と連続していることが好ましい。
【００３４】
さらにまた、本実施形態では、中間櫛歯１２の内部に形成された導液路１７は、図２に示すように、吐出口１７ａが、先端弾性変形部１６の近傍に配置されて櫛歯本体部１５の先端部に開口している。ここで、吐出口１７ａは、櫛歯本体部１５の部分のみに開口している他、先端弾性変形部１６に接して開口していても、先端弾性変形部１６に一部つながるように重なって配置されていても良い。先端弾性変形部１６は、軟質樹脂で構成される柔らかい部分なので、一般的に吐出口を設けることは難しいが、部分的に吐出口を設けることは可能である。
【００３５】
本実施形態では、吐出口１７ａが開口する高さ位置である吐出口１７ａの先端側の端部の位置は、先端弾性変形部１６の先端から１．０〜５．５ｍｍの高さ領域に含まれることが好ましく、１．５〜４．０ｍｍの高さ領域に含まれることがより好ましい。吐出口１７ａの開口形状は、矩形、円形、楕円形、三角形等とすることができる。吐出口１７ａの内径は、１．０〜３．０ｍｍであることが好ましく、１．５〜２．５ｍｍであることがより好ましい。吐出口１７ａの開口は、櫛歯本体部１５の軸方向である高さ方向に直交する方向の幅が、１．０〜３．０ｍｍであることが好ましく、１．５〜２．５ｍｍであることがより好ましい。また、吐出口１７ａの開口面積は、０．７７〜７．０６ｍｍ２であることが好ましく、１．０〜３．５ｍｍ２であることがより好ましい。
【００３６】
中間櫛歯１２の内部に形成された導液路１７の断面形状は、円形、矩形、楕円形、三角形、鍵穴形状等とすることができる。導液路１７の内径（又は櫛歯本体部１５の高さ方向に直交する方向の幅）は、０．５〜４．０ｍｍであることが好ましく、１．５〜２．５ｍｍであることがより好ましい。
【００３７】
中間櫛歯１２の導液路１７が形成される部分の櫛歯本体部１５の短軸方向の幅は、１．５〜４．５ｍｍであることが好ましく、２．０〜３．０ｍｍであることがより好ましい。導液路１７の内径と、櫛歯本体部１５の短軸方向の幅との比は、０．２〜０．７５であることが好ましく、０．５〜０．７であることがより好ましい。
【００３８】
また、本実施形態では、中間櫛歯１２は、図３、図４、図５（ｂ）にも示すように、導液路１７の吐出口１７ａから先端側において枝別れして表面に開口する、複数の枝別れ吐出口１７ｂを有している。枝別れ吐出口１７ｂもまた、先端弾性変形部１６の近傍に配置されて、櫛歯本体部１５の先端部に開口している。枝別れ吐出口１７ｂは、長軸と短軸とを備える扁平な横長の横断面形状を有する櫛歯本体部１５の、短軸方向に背向させて一対設けられていることが好ましい。
【００３９】
また、本実施形態では、櫛歯本体部１５，１５’の短軸方向に間隔を置いて設けられた、複数の櫛歯１２，１２’の先端弾性変形部１６，１６’及び枝別れ吐出口１７ｂは、櫛歯本体部１５，１５’の短軸方向に沿った同一直線上に複数並べて設けられている。
【００４０】
そして、上述の構成を備える本実施形態の毛元塗布具１０によれば、染毛剤を、例えば頭頂部や後頭部の毛髪の毛元部分等の、使用者が自身の目で未染毛領域を確認しにくい毛元部分についても、頭皮の近くの毛元まで容易に染毛剤を供給することが可能になり、これによって頭皮に近い毛元部分をねらって染毛剤を塗布できるようにして、毛元部分を安定して染毛してゆくことが可能になる。
【００４１】
すなわち、本実施形態によれば、櫛歯部１３の櫛歯１２，１２’は、毛髪を梳かす機能を備える櫛歯本体部１５，１５’と、櫛歯本体部１５，１５’の先端に連続して設けられた、軟質樹脂による先端弾性変形部１６，１６’とを含んで構成されており、また櫛歯本体部１５は、塗布剤の導液路１７を内部に備えると共に、導液路１７の吐出口１７ａを、先端弾性変形部１６と近接する先端部に開口させている。したがって、櫛歯本体部１５、１５’で毛髪を梳かしながら、先端弾性変形部１６、１６’を頭皮に押し付けて弾性変形させつつ、櫛歯本体部１５の導液路１７の吐出口１７ａから先端弾性変形部１６、１６’の近傍に供給される塗布剤の塗布を行い、毛元近くまで塗布剤を塗布することができる。
【００４２】
これによって、本実施形態によれば、使用者が胴部１１ｂを把持して櫛歯１２，１２’を頭皮に押し当てた状態で、胴部１１ｂを押圧することで染毛剤を毛髪に塗布する際に、櫛歯本体部１５，１５’によって、毛髪のボリュームがある場所においても、容易に毛髪を掻き分けることが可能になると共に、柔軟な先端弾性変形部１６，１６’を介して、櫛歯１２，１２’の先端部を頭皮に押し当てることが可能になる。柔軟な先端弾性変形部１６，１６’は、頭皮に押し当てた後に、頭皮に押し付ける力をさらに加えることで、図４に示すように、潰れるように弾性変形したり、毛髪を梳かす方向とは反対側に折れるように弾性変形して、櫛歯１２の導液路１７の吐出口１７ａや、枝別れ吐出口１７ｂを、頭皮にさらに近づけることが可能になる。これによって、頭皮への接触面積を大きくして、使用者の頭皮に櫛歯１２、１２’を押し付ける力を分散させることができる。またこれによって、例えば櫛歯１２，１２’ の先端弾性変形部１６，１６’を頭皮に押し当てて位置決めした後に、さらに頭皮に押し付ける力を加えながら、胴部１１ｂを押圧して染毛剤を吐出させることにより、頭頂部や後頭部の毛髪の毛元部分等の、未染毛領域を目で確認しにくい毛元部分をねらって染毛剤を供給し、安定した状態で染毛剤を塗布して毛元を染毛することが可能になる。また、先端弾性変形部１６は弾性変形する構造である為、吐出口１７ａが先端弾性変形部１６の近傍に、又は先端弾性変部１６と接して或いは重なった位置に配置されることにより、先端弾性変形部１６に強度を持たせることが可能になる。
【００４３】
さらに、本実施形態によれば、櫛歯１２，１２’の櫛歯本体部１５，１５’の先端に柔軟な先端弾性変形部１６，１６’が取り付けられているので、先端弾性変形部１６，１６’を先端部に向けて徐々に断面積が小さくなる尖鋭な形状に形成しても、頭皮に対するソフトな感触を保持することが可能になる。これによって、頭皮に痛みを感じにくくすると共に、先端弾性変形部１６、１６’をさらに弾性変形しやすくして、ソフトな感触を維持することができる。またこれによって、頭皮に刺激を与えることなく、先端弾性変形部１６，１６’の先端部を、頭皮の所望の位置にスムーズに押し当て、かつ、毛髪を梳かすことが可能になり、しかも吐出口１７ａや枝別れ吐出口１７ｂを頭皮によりいっそう近づけて、染毛剤を塗布することが可能になる。
【００４４】
図５（ａ）は、櫛歯本体部１５の先端部分に設けられた先端弾性変形部１６及び枝別れ吐出口１７の形態を例示する図表である。図５の図表において、上段は斜視図、中段は側面図、下段は正面図となっている。また（１）〜（３）欄は、櫛歯本体部及び先端弾性変形部が２色成形されたものとなっており、（４）及び（５）欄は、インサート成形されたものなっている。図５（ａ）に示すように、先端弾性変形部は、先端部が丸みを持つように形成することもできる（（１）参照）。また、枝別れ吐出口は、櫛歯本体部と先端弾性変形部に跨るようにして形成することもできる（（４）、（５）参照）。先端弾性変形部は、先端を尖った形状とすると、先端部が曲がりやすくなる一方で、頭皮に刺激を与えることになるが、先端弾性変形部の先端形状を曲線状に湾曲させることによって、先端弾性変形部は曲がり難くなる一方で、頭皮に刺激の少ない形状とすることができる。
【００４５】
また、櫛歯１２の櫛歯本体部１５は、図５（ｂ）に示すように、これの長軸方向から櫛歯１２を見た状態で、先端弾性変形部１６の近傍部分において、櫛歯本体部１５の幅を狭くする段部１５ａを備えていることが好ましい。これによって、櫛歯本体部１５の先端部の形状をスリムにして（厚さ、幅を小さくして）、櫛歯１２によるコーム性を向上させると共に、吐出口１７ａよりも下方部分における櫛歯本体部１５の短軸方向の幅を十分に確保することが可能になる。そして、櫛歯本体部１５は、先端弾性変形部１６の樹脂より高い剛性の樹脂を用いることで、内部に導液路１７を設けることができ、櫛歯１２に毛髪を掻き分けるのに必要な保形剛性を付与することが可能になる。さらに、吐出口１７ｂは、段部１５aよりも櫛歯１２の先端側の櫛歯１２の側面に開口していることが好ましい。これによって、導液路１７の断面積及び断面の径を十分に確保しつつ、櫛歯１２のより先端側の断面積の小さな領域に、吐出口１７ｂを設けることが可能になる。また、容器１１から導液路１７に送り込まれ、吐出口１７ｂから吐出された染毛剤が、櫛歯本体部１５、１５’の側、即ち櫛歯本体部１５、１５’の基部の側に広がることを防止して、より頭皮方向に吐出されるようにすることで、頭皮方向に染毛剤を塗布しやすくなる。以上のように、櫛歯１２は、染毛剤の吐出性とコーム性と毛髪を梳かす保形剛性とを兼ね備えることになる。
【００４６】
本実施形態では、毛髪の毛元部分だけではなく、毛髪の部位によらずに、生え際や襟足やこめかみ等を含む毛髪の全体を染毛できるように、図１及び図６に示すように、補助櫛歯部２３を備えている。補助櫛歯部２３は、ポリエチレン、ポリプロピレン等の合成樹脂を用いて、射出成形によって形成されている。
【００４７】
補助櫛歯部２３には、図７にも示すように、補助櫛歯台２４の上面に、櫛歯部１３の櫛歯台１４の立設基板１４ａと同様の横長の帯板形状を備える、立設基板１４ａよりも大きな補助立設基板２４ａが設けられている。補助立設基板２４ａには、櫛歯部１３の櫛歯台１４から立設する複数の櫛歯１２，１２’と対応する位置に、櫛歯挿通口２４ｂが複数開口形成されている。櫛歯挿通口２４ｂは、櫛歯１２，１２’の高さ方向中間部分における断面形状よりも僅かに大きな、これと同様の開口形状を備えるように形成されている。櫛歯挿通口２４ｂは、櫛歯部１３の櫛歯１２，１２’と同様に、当該櫛歯挿通口２４ｂの短軸方向である補助立設基板２４ａの長手方向に間隔を置いて、等しい中心間ピッチで７か所に開口形成されている。
【００４８】
また、補助櫛歯台２４には、これの上面の補助立設基板２４ａから立設して、多数の補助櫛歯２２が設けられている。補助櫛歯２２は、本実施形態では、細長い円錐形状の突起となっている。補助櫛歯２２は、７か所の櫛歯挿通口２４ｂの全体を囲んで、補助立設基板２４ａの周縁部分沿って矩形環状に連設して設けられている。また７か所の櫛歯挿通口２４ｂの、各一対の隣接する櫛歯挿通口２４ｂの間の間隔部分にも、複数の補助櫛歯２２が立設して設けられている。
【００４９】
補助櫛歯部２３の補助櫛歯台２４は、補助立設基板２４ａの長辺に沿った部分を凹状に窪ませた、略半球状のドーム形状を備えている。補助櫛歯台２４の下端部分の内径は、櫛歯部１３の装着スカート部１８の筒状装着部１８ｂの上端部分に形成された、係止段差部１８ｅの外径と同様となっている。補助櫛歯台２４の下端部分を下端係止部として、係止段差部１８ｅに係止させることで、櫛歯１２，１２’を櫛歯挿通口２４ｂに各々中間部分まで挿通した状態で、補助櫛歯部２３が、櫛歯部１３に重ねて装着される。補助櫛歯台２４の下端縁部から、補助立設基板２４ａの長手方向に沿った外側に張り出して、一対の指掛けリブ２４ｃが設けられている。これらの指掛けリブ２４ｃに指を係止することによって、補助櫛歯部２３を櫛歯部１３に着脱する操作を、よりスムーズに行うことが可能になる。
【００５０】
櫛歯部１３に補助櫛歯部２３を装着して用いることにより、補助櫛歯部２３によってより多くの毛髪をとらえることが可能になる。これによって、櫛歯部１３の先端側から吐出される染毛剤を、補助櫛歯部２３の先端にうけとめ又はからめながら、例えば、顔と頭皮の間の生え際、こめかみ、首もとや襟足などを、ひと塗りの操作でも、より多くの毛髪に染毛剤を行き届かせながら、綺麗な染毛を行うことができる。本実施形態では、櫛歯部１３の先端の先端弾性変形部１６、１６’の存在により、補助櫛歯１３のより先端側に染毛剤を供給することを可能として、上記の生え際等であっても毛元をきれいに染毛することができる。
【００５１】
本実施形態では、上述のように、補助櫛歯台２４の補助立設基板２４ａにおける各一対の隣接する櫛歯挿通口２４ｂの間の間隔部分に、複数の補助櫛歯２２が立設して設けられている。これによって、補助櫛歯部２３が櫛歯部１３に装着された状態で、補助櫛歯２２は、櫛歯部１３の、短軸方向に隣接する各一対の櫛歯１２，１２’の間隔部分に、各々配置されるようになっている。またこれによって、櫛歯部１３の櫛歯１２に形成された、吐出口１７ａや枝別れ吐出口１７ｂから吐出された染毛剤を、補助櫛歯２２を介在させた各一対の櫛歯１２，１２’の間隔部分に、容易に保持することが可能になるので、毛髪の全体を、さらに安定して均一にムラなく染毛することが可能になる。
【００５２】
また、本実施形態では、補助櫛歯部２３が櫛歯部１３に装着された状態で、櫛歯部１３の櫛歯１２，１２’の先端弾性変形部１６，１６’の先端の高さ位置は、補助櫛歯２２の先端の高さ位置と同じか又はこれよりも高くなっている。櫛歯１２，１２’の先端弾性変形部１６，１６’の先端の高さ位置が、補助櫛歯２２の先端の高さ位置と同じか又はこれよりも高くなっていることにより、補助櫛歯２２の先端が塗布部（頭皮）と隙間なく接触して、先端弾性変形部１６の近傍から吐出された染毛剤を補助櫛歯２２の先端側に容易に供給されるようにすることで、染毛剤をさらにむらなくきれいに塗布することが可能になる。
【００５３】
図８は、本発明の他の実施形態に係る毛元塗布具３０を示すものである。本他の実施形態の毛元塗布具３０は、塗布剤として、例えば毛髪化粧料である染毛剤やブリーチ剤が収容された容器３１の口首部３１ａに、複数の櫛歯３２を備える櫛歯部３３を着脱可能に装着することによって構成される。本他の実施形態の毛元塗布具３０では、櫛歯台３４は、上面に円形の立設基板３４ａを備える扁平な有天円筒形状を有している。櫛歯３２は、中央に配置された櫛歯３４と、中央の櫛歯３４を中心に同心円状に複数配置された櫛歯３４とを備えることが好ましい。図８の実施形態によれば、円形の立設基板３４ａから上方に立設して、中央部に１箇所、これの周囲に５箇所の合計６箇所に、略円錐形状の櫛歯３２が設けられている。
【００５４】
各々の櫛歯３２は、図９（ａ）、図９（ｂ）にも示すように、毛髪を掻き分けることが可能な保形剛性を有することで、毛髪を梳かす機能を備える略切頭円錐形状を有する櫛歯本体部３５と、櫛歯本体部３５の先端に連続して設けられた、軟らかい軟質樹脂による略円錐形状を有する先端弾性変形部３６とによって構成されている。各々の櫛歯３２の内部には、櫛歯台３４の中空内部と連通する、導液路３７が形成されている。導液路３７は、吐出口３７ａが、先端弾性変形部３６の近傍に配置されて、先端部に開口している。櫛歯３２は、導液路３７の吐出口３７ａから４方向に枝別れして表面に開口する、４箇所の枝別れ吐出口３７ｂを有している。
【００５５】
本他の実施形態の毛元塗布具３０によっても、上記実施形態の毛元塗布具１０と同様の作用効果が奏される。また、本他の実施形態の毛元塗布具３０によれば、櫛歯３２は、略円錐形状を有しており、先端部分の柔軟な先端弾性変形部３６もまた、略円錐形状を有しているので、先端弾性変形部３６は、任意の方向に押しつぶされるようにして変形することが可能である。これによって、例えば図１０に示すように、吐出口３７ａや枝別れ吐出口３７ｂから頭皮の狭い領域に吐出された塗布剤を、頭皮の広い領域に分配して行き渡らせることが可能になる。またこれによって、頭皮に対するマッサージ効果を向上させることが可能になる。
【００５６】
各々の櫛歯３２は、図１０に示すように、広範囲にわたって均一な塗布を行うことができる。吐出口は、４箇所の枝別れ吐出口３７ｂを有している為（図１０の１）、塗布剤は平面的に浸透していき（図１０の２）、広範囲にわたって均一な塗布状態を得ることができる（図１０の３）。
【００５７】
なお、本発明は上述の各実施形態に限定されることなく種々の変更が可能である。例えば、本発明の毛元塗布具によって毛髪の毛元部に塗布される塗布剤は、染毛剤に限られず、ブリーチ剤等の毛髪化粧料の他、頭皮用のローション、オイル、トニック剤、育毛剤、フケ抑制剤等の、毛髪の毛元部や頭皮に塗布して有効な、その他の種々の塗布剤であっても良い。
【００５８】
また、本発明の毛元塗布具を用いた塗布剤の塗布方法として、櫛歯本体部で毛髪を梳かしながら、先端弾性変形部の先端を頭皮に押し付けて弾性変形させつつ、好ましくは櫛歯本体部の内部の導液路の吐出口から櫛歯に供給される、塗布剤の塗布を行う方法を採用することもできる。
【００５９】
さらに、本発明の毛元塗布具は、上述のように、櫛歯台の表面から複数の櫛歯が立設する櫛歯部と、塗布剤が収容される容器とを備え、該容器から前記櫛歯に供給される塗布剤を、毛髪の毛元部分に塗布できるようにする塗布具であって、前記櫛歯は、毛髪を梳かす機能を備える櫛歯本体部と、該櫛歯本体部の先端に連続して設けられた、軟質樹脂による先端弾性変形部とを備える。ここで、櫛歯１２，１２’の櫛歯本体部１５，１５’及び先端弾性変形部１６，１６’を含めた高さ方向の全体の長さは、毛髪の間に先端弾性変形部１６、１６’を配置させる機能の点から、１０〜２５ｍｍであることが好ましく、１２〜２０ｍｍであることがより好ましい。先端弾性変形部１６，１６’の高さ方向の長さは、１．０〜５．５ｍｍであることが好ましく、２.０〜５.０ｍｍであることがより好ましい。先端弾性変形部１６，１６’の高さ方向の長さの、櫛歯１２，１２’の全体の長さに対する比率は、０．０５〜０．５であることが好ましく、０．１〜０．３であることがより好ましい。隣接する櫛歯１２，１２’の間に保持される間隔は、１０〜２０ｍｍであることが好ましく、１２〜１６ｍｍであることがより好ましい。
【００６０】
さらにまた、本発明の毛元塗布具は、図１１に示すように、例えば櫛歯部１３’を、容器１１の口首部１１ａに装着される装着スカート部４１を備える中栓キャップ４０と、中栓キャップ４０に対して上下に移動可能に取り付けられる櫛歯台１４’とによって形成して、櫛歯台１４’を中栓キャップ４０に対して上下に移動させることで、連通口４２を介して容器１１の内部から中間櫛歯１２の導液路１７に至る流路を開放した状態と、連通口４２を介した流路を閉塞した状態とを、切り替え可能として用いることもできる。
【００６１】
この切り替えの機構は、図示されていないが、容器の高さ方向のスライド操作によって、押下げ、押上げ可能に嵌合させる嵌合構造や、容器の周方向のツイスト操作によって、押下げ、押上げ可能に嵌合させる嵌合構造を用いて構成することができる。櫛歯部を容器に対して押上げた状態では、容器の導液路と櫛歯部の導液路とが接続され、櫛歯部を容器に対して押下げた状態では、容器本体の導液路と櫛歯部の導液路との接続が遮断されるようにすることができる。
【００６２】
前述した本発明の実施態様に関し、更に以下の付記（毛元塗布具及び塗布方法）を開示する。
【００６３】
＜１＞  櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記櫛歯本体部は、塗布剤の導液路を内部に備えると共に、該導液路の吐出口が、前記先端弾性変形部の近傍に配置されて、又は前記先端弾性変部と接して或いは重なって配置されて、開口している毛元塗布具。
【００６４】
＜２＞  前記先端弾性変形部を形成する引張り強度が、好ましくは１〜１０ＭＰａであり、より好ましくは２〜８ＭＰａである上記＜１＞記載の毛元塗布具。
＜３＞  前記先端弾性変形部は、先端部に向けて徐々に断面積が小さくなる尖鋭な形状を有している上記＜１＞又は＜２＞記載の毛元塗布具。
＜４＞  前記櫛歯本体部は、前記櫛歯台側の基端部から、先端の前記先端弾性変形部に向けて、断面積を減少させた先細り形状を有している上記＜１＞〜＜３＞のいずれか１記載の毛元塗布具。
＜５＞  前記櫛歯は、前記導液路の吐出口を、当該櫛歯の先端側にのみ配置している上記＜１＞〜＜４＞のいずれか１記載の毛元塗布具。
＜６＞  前記櫛歯は、前記導液路の吐出口から先端側に枝別れして表面に開口する、複数の枝別れ吐出口を有している上記＜１＞〜＜５＞のいずれか１記載の毛元塗布具。
＜７＞  前記櫛歯本体部は、長軸と短軸とを備える扁平な横断面形状を有しており、前記枝別れ吐出口は、前記櫛歯本体部の短軸方向に向けて一対設けられている上記＜６＞記載の毛元塗布具。
【００６５】
＜８＞  前記櫛歯は、前記櫛歯本体部の長軸方向を平行に配置して、前記櫛歯本体部の短軸方向に間隔を置いて複数並べて設けられており、前記先端弾性変形部及び前記枝別れ吐出口は、前記短軸方向に沿った同一直線上に複数並べて設けられている上記＜７＞記載の毛元塗布具。
＜９＞  前記吐出口が開口する高さ位置は、前記先端弾性変形部の先端から好ましくは１．０〜５．５ｍｍの高さ領域に含まれ、より好ましくは１．５〜４．０ｍｍの高さ領域に含まれる上記＜１＞〜＜８＞のいずれか１記載の毛元塗布具。
＜１０＞  前記櫛歯は、前記櫛歯本体部の長軸方向を平行に配置して、前記櫛歯本体部の短軸方向に間隔を置いて複数並べて設けられており、かつ、
前記櫛歯部に着脱可能に装着される補助櫛歯部を備えており、該補助櫛歯部は、補助櫛歯台から立設する複数の補助櫛歯を有しており、該補助櫛歯部が前記櫛歯台に装着された状態で、前記補助櫛歯は、前記櫛歯部の隣接する各一対の前記櫛歯の間隔部分に、各々配置される上記＜１＞〜＜９＞のいずれか１記載の毛元塗布具。
【００６６】
＜１１＞  前記補助櫛歯部が前記櫛歯台に装着された状態で、前記櫛歯の前記先端弾性変形部の先端の高さ位置は、前記補助櫛歯の先端の高さ位置と同じか又はこれよりも高くなっている上記＜１０＞記載の毛元塗布具。
＜１２＞  櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記先端弾性変形部の高さ方向の長さの前記櫛歯の全体の長さに対する比率が、好ましくは０．０５〜０．３５となっている毛元塗布具。
＜１３＞  櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記先端弾性変形部の高さ方向の長さの前記櫛歯の全体の長さに対する比率が、好ましくは０．０５〜０．５となっている毛元塗布具。
【００６７】
＜１４＞  前記先端弾性変形部の縦弾性率は、好ましくは０．５〜５０ＭＰａであり、より好ましくは１〜４０ＭＰａであり、さらに好ましくは３〜３０ＭＰａである上記＜１＞〜＜１３＞のいずれか１記載の毛元塗布具。
＜１５＞  前記櫛歯本体部と前記先端弾性変形部の引張り強度の差が、好ましくは５〜４０ＭＰａであり、より好ましくは１０〜３５ＭＰａであり、さらに好ましくは１５〜３５ＭＰａである上記＜１＞〜＜１４＞のいずれか１記載の毛元塗布具。
＜１６＞  前記櫛歯本体部の引張り弾性率と前記先端弾性変形部の縦弾性率との差が、好ましくは２００ＭＰａ〜１９５０ＭＰａであり、より好ましくは４００ＭＰａ〜１４６０ＭＰａであり、さらに好ましくは８００〜１４６０ＭＰａである上記＜１＞〜＜１５＞のいずれか１記載の毛元塗布具。
＜１７＞  前記櫛歯本体部の引張り弾性率は、好ましくは２００ＭＰａ以上２０００ＭＰａ以下であり、より好ましくは４００ＭＰａ以上１５００ＭＰａ以下であり、さらに好ましくは８００ＭＰａ以上１５００ＭＰａ以下である上記＜１＞〜＜１６＞のいずれか１記載の毛元塗布具。
＜１８＞  前記櫛歯本体部と前記先端弾性変形部とは、連続的且つ一体的に成形されて設けられている上記＜１＞〜＜１７＞のいずれか１記載の毛元塗布具。
＜１９＞  前記櫛歯本体部と前記先端弾性変形部とは、２色成形又はインサート成形によって連続的且つ一体的に成形されている上記＜１＞〜＜１８＞のいずれか１記載の毛元塗布具。
【００６８】
＜２０＞  前記塗布剤の３０℃における粘度が、好ましくは３ｍＰａ・ｓ以上であり、より好ましくは５ｍＰａ・ｓであり、さらに好ましくは５００ｍＰａ・ｓ以上であり、よりさらに好ましくは１０００ｍＰａ・ｓ以上であり、また好ましくは３００００ｍＰａ・ｓ以下であり、より好ましくは２００００ｍＰａ・ｓ以下であり、さらに好ましくは１５０００ｍＰａ・ｓ以下である上記＜１＞〜＜１９＞のいずれか１記載の毛元塗布具。
＜２１＞  塗布剤が収容される前記容器と、前記櫛歯部とは、前記容器の高さ方向のスライド操作によって押下げ、押上げ可能に嵌合させる嵌合構造、又は前記容器の周方向のツイスト操作によって押下げ、押上げ可能に嵌合させる嵌合構造を有しており、
前記櫛歯部を前記容器に対して押上げた状態では、前記容器の導液路と前記櫛歯部の導液路とが接続され、
前記櫛歯部を前記容器に対して押下げた状態では、前記容器本体の導液路と前記櫛歯部の導液路との接続が遮断される上記＜１＞〜＜２０＞のいずれか１記載の毛元塗布具。
＜２０＞  前記容器は、エアゾール容器又はスクイズ容器である上記＜１＞〜＜２１＞のいずれか１記載の毛元塗布具。
【００６９】
＜２３＞  前記櫛歯本体部と前記先端弾性変形部とが異なる色に着色されている上記＜１＞〜＜２２＞のいずれか１記載の毛元塗布具。
＜２４＞  前記櫛歯本体部は、長軸と短軸とを備える扁平な横長の横断面形状を有しており、前記櫛歯は、前記導液路の吐出口から先端側に枝別れして表面に開口する、複数の枝別れ吐出口を有しており、前記枝別れ吐出口は、前記櫛歯本体部の短軸方向に向けて一対設けられており、前記導液路の内径と、前記櫛歯本体部の短軸方向の幅との比は、好ましくは０．２〜０．７５であり、より好ましくは０．５〜０．７である上記＜１＞〜＜２３＞のいずれか１記載の毛元塗布具。
＜２５＞  前記吐出口の開口面積は、好ましくは０．７７〜７．０６ｍｍ２であり、より好ましくは１．０〜３．５ｍｍ２である上記＜１＞〜＜２４＞のいずれか１記載の毛元塗布具。
＜２６＞  前記櫛歯本体部は、好ましくは、前記先端弾性変形部の近傍において、当該櫛歯本体部の幅を狭くする段部を備えている上記＜１＞〜＜２５＞のいずれか１記載の毛元塗布具。
【００７０】
＜２７＞  前記櫛歯台が、円筒形状を有しており、前記櫛歯は、前記櫛歯台上に同心円状に配置されている上記＜１＞〜＜２６＞のいずれか１記載の毛元塗布具。
＜２８＞  前記櫛歯は、中央に配置された櫛歯と、該中央の櫛歯を中心に同心円状に複数配置された櫛歯とを備える上記＜２７＞記載の毛元塗布具。
＜２９＞  前記櫛歯の内部には前記櫛歯台の中空内部と連通する、導液路が形成されており、前記櫛歯は、前記導液路の吐出口から４方向に枝別れして表面に開口する、４箇所の枝別れ吐出口を有している上記＜２７＞又は＜２８＞記載の毛元塗布具。
【００７１】
＜３０＞  前記先端弾性変形部を形成する軟質樹脂は、好ましくはゴム成分又はエラストマー成分を含む、弾性樹脂材料又は軟質樹脂材料から選ばれる１種の樹脂又は２種以上の混合樹脂であり、より好ましくはポリスチレン、ポリオレフィン、ポリエステル、ポリウレタン、ウレタンゴム及びシリコーンゴムから選ばれる１種又は２種以上のゴム成分又はエラストマー成分を含む樹脂であり、さらに好ましくはポリスチレンを含有するエラストマーである上記＜１＞〜＜２９＞のいずれか１記載の毛元塗布具。
＜３１＞  前記櫛歯本体部を形成する合成樹脂は、好ましくは中密度ポリエチレン、高密度ポリエチレン、ポリプロピレンから選ばれる１種又は２種以上の樹脂を含む樹脂である上記＜１＞〜＜３０＞のいずれか１記載の毛元塗布具。
＜３２＞  前記塗布剤が染毛剤である上記＜１＞〜＜３１＞のいずれか１記載の毛元塗布具。
＜３３＞  前記先端弾性変形部は、好ましくは先端部に向けて徐々に断面積が小さくなる尖鋭な形状を有しているとともに、先端形状が曲線状に湾曲している上記＜１＞〜＜３２＞のいずれか１記載の毛元塗布具。
【００７２】
＜３４＞  櫛歯台の表面から複数の櫛歯が立設する櫛歯部と、塗布剤が収容される容器とを備え、該容器から前記櫛歯に供給される塗布剤を、毛髪の毛元部分に塗布できるようにする毛元塗布具を用いた塗布方法であって、
前記櫛歯は、毛髪を梳かす機能を備える櫛歯本体部と、該櫛歯本体部の先端に連続して設けられた、軟質樹脂による先端弾性変形部とを含み、
前記櫛歯本体部は、前記先端弾性変形部よりも剛性が高く、毛髪を掻き分けることが可能な保形性を有しており、
前記櫛歯本体部で毛髪を梳かしながら、前記先端弾性変形部の先端を頭皮に押し付けて弾性変形させつつ、前記櫛歯本体部の導液路の吐出口から前記先端弾性変形部の近傍に供給される塗布剤の塗布を行う塗布方法。
【産業上の利用可能性】
【００７３】
本発明の毛元塗布具によれば、染毛剤等の毛髪化粧料やその他の塗布剤を、例えば頭頂部や後頭部の毛髪の毛元部分等の、使用者が自身の目で未染毛領域を確認しにくい毛元部分についても、安定した状態で、効率良く集中的に塗布してゆくことができる。
【図１】
2015037694.tif 000003
【図２】
2015037694.tif 000004
【図３】
2015037694.tif 000005
【図４】
2015037694.tif 000006
【図５（ａ）】
2015037694.tif 000007
【図５（ｂ）】
2015037694.tif 000008
【図６】
2015037694.tif 000009
【図７】
2015037694.tif 000010
【図８】
2015037694.tif 000011
【図９】
2015037694.tif 000012
【図１０】
2015037694.tif 000013
【図１１】
2015037694.tif 000014
【国際調査報告】
2015037694.tif 000015
2015037694.tif 000016
2015037694.tif 000017
2015037694.tif 000018